(57)【要約】【課題】左右のステッピングモーターの回転角度の間にバラツキがあっても、左右の風向調整板を同じ回転角度だけ回転した際、両者の間に角度ズレが起きない空気調和機の室内機を得る。【解決手段】室内機１００は、左前上下風向調整機構２０ＬＦの左前風向調整板２１ＬＦに左前リング７０ＬＦが接続され、右前上下風向調整機構２０ＲＦの右前風向調整板２１ＲＦに右前リング８０ＲＦが接続され、左前リング７０ＬＦは左前弾性体６０ＬＦによって右前リング８０ＲＦに押し付けられ、左前リング７０ＬＦに形成されたＶ字状の左前嵌合突起７５ＬＦが、右前リング８０ＲＦに形成された右前嵌合切り欠き８５ＲＦに侵入した状態で、左前風向調整板２１ＬＦと右前風向調整板２１ＲＦとは一体的に回転する。【選択図】図８
2014231947.tif 000002
【特許請求の範囲】
【請求項１】
吸込口および吹出口を具備する筐体と、該筐体内に配置された熱交換器および送風ファンと、前記吹出口に配置され、前記送風ファンによって送られた空気の吹出方向を調整する複数の上下風向調整機構とを有し、
前記上下風向調整機構は、風向調整板および該風向調整板の両端寄りにそれぞれ固定された取付軸を具備し、
隣接する一方の前記上下風向調整機構の取付軸に、嵌合切り欠きが形成された切り欠きリングが接続され、
隣接する他方の前記上下風向調整機構の取付軸に、前記嵌合切り欠きに侵入自在な嵌合突起が形成された突起リングが接続され、
前記切り欠きリングと前記突起リングとが、互いに同軸で回転自在に支持された状態で、弾性体によって互いに押し付けられていることを特徴とする空気調和機の室内機。
【請求項２】
前記嵌合切り欠きに前記嵌合突起が侵入した状態で、隣接する前記上下風向調整機構の風向調整板は、一体的に同じ回転角度だけ回転され、
前記嵌合切り欠きから前記嵌合突起が脱出した状態になって、隣接する前記上下風向調整機構の風向調整板は相違する回転角度だけ回転することを特徴とする請求項１記載の空気調和機の室内機。
【請求項３】
前記上下風向調整機構は、左上下風向調整機構および右上下風向調整機構であって、前記左上下風向調整機構を支持する左中央支持部および前記右上下風向調整機構を支持する右中央支持部を具備し、
前記左上下風向調整機構は、左風向調整板と、該左風向調整板の端寄りに固定された左端寄り取付腕と、該左端寄り取付腕の先端に設けられた左端寄り軸受けと、前記左風向調整板の中央寄りに固定された左中央寄り取付腕と、該左中央寄り取付腕の先端に設けられた左中央寄り軸受けと、該左中央寄り軸受けを回転不能に貫通する左中央寄り取付軸と、を具備し
前記左中央支持部は、前記左中央寄り取付軸が回転不能に侵入する前記突起リングである左リングと、該左リングを回転自在に保持する左中央支持軸受けと、該左中央支持軸受け内において前記左リングを中央方向に付勢する左弾性体と、を具備し、
前記右上下風向調整機構は、右風向調整板と、該右風向調整板の端寄りに固定された右端寄り取付腕と、該右端寄り取付腕の先端に設けられた右端寄り軸受けと、前記右風向調整板の中央寄りに固定された右中央寄り取付腕と、該右中央寄り取付腕の先端に設けられた右中央寄り軸受けと、該右中央寄り軸受けを回転不能に貫通する右中央寄り取付軸と、を具備し、
前記右中央支持部は、前記右中央寄り取付軸が回転不能に侵入する前記切り欠きリングである右リングと、該右リングを回転自在に保持する右中央支持軸受けと、を具備し、
前記左中央支持軸受けと前記右中央支持軸受けとは同軸であって、前記左弾性体によって、前記左リングは前記右リングに押し付けられ、
前記右リングには、軸方向に向かって陥入するＶ字状の右嵌合切り欠きが形成され、
前記左リングには、軸方向に向かって突出し、前記右嵌合切り欠きに侵入自在なＶ字状の左嵌合突起が形成されていることを特徴とする請求項１または２記載の空気調和機の室内機。
【発明の詳細な説明】
【技術分野】
【０００１】
本発明は空気調和機の室内機、特に、複数の上下風向調整板を有する空気調和機の室内機に関するものである。
【背景技術】
【０００２】
室内の壁面に設置され空気調和機の室内機の上下風向調整板は、吹出口に左右方向に並べて配置された左側の上下風向調整板（左フラップ）と右側の上下風向調整板（右フラップ）とを有している。
左側の上下風向調整板（左フラップ）は、左側の取付部が、吹出口を形成する左端板に回転自在に支持された左ピンに嵌合し、中央側の取付部が、吹出口を形成する台座に固定された上ホルダに回転自在に支持されている。
【０００３】
同様に、右側の上下風向調整板（右フラップ）は、右側の取付部が、吹出口を形成する右端板に回転自在に支持された右ピンに嵌合し、中央側の取付部が、吹出口を形成する台座に固定された上ホルダに回転自在に支持されている。
そして、左ピンは風路の外（左端板の外側）に固定された左ステッピングモーターの出力軸に連結され、右ピンは風路の外（右端板の外側）に固定された右ステッピングモーターの出力軸に連結されている（例えば、特許文献１参照。）。
【先行技術文献】
【特許文献】
【０００４】
【特許文献１】特開２００３−１２０９９４号公報（第３−４頁、図３）
【発明の概要】
【発明が解決しようとする課題】
【０００５】
特許文献１に記載された空気調和機の室内機は、左フラップおよび右フラップが、それぞれ独立した左ステッピングモーターおよび右ステッピングモーターによって、回転されるため、左フラップおよび右フラップがそれぞれ相違する姿勢に停止（相違する回転角度に回転）することができる。
しかしながら、左フラップおよび右フラップを同一の姿勢（同一角度に設定）にした場合でも、左ステッピングモーターの回転角度と右ステッピングモーターの回転角度とに、例えば、バックラッシュ量のバラツキによって、微小な角度（例えば、３°程度）の角度ズレが起きるおそれがある。そして、角度ズレが起きると、運転時の意匠性が悪化し、ユーザーの不快感や不安感につながるおそれがあるという問題があった。
【０００６】
本発明は、上記のような問題を解決するためになされたもので、左フラップおよび右フラップをそれぞれ相違する姿勢に停止（相違する回転角度に回転）することができると共に、左ステッピングモーターの回転角度と右ステッピングモーターの回転角度との間にバラツキがあっても、左フラップおよび右フラップを同じ姿勢に停止（同じ回転角度に回転）した際、両者の間に角度ズレが起きない、意匠性に優れた空気調和機の室内機を得ることである。
【課題を解決するための手段】
【０００７】
本発明に係る空気調和機の室内機は、吸込口および吹出口を具備する筐体と、該筐体内に配置された熱交換器および送風ファンと、前記吹出口に配置され、前記送風ファンによって送られた空気の吹出方向を調整する複数の上下風向調整機構とを有し、前記上下風向調整機構は、風向調整板および該風向調整板の両端寄りにそれぞれ固定された取付軸を具備し、隣接する一方の前記上下風向調整機構の取付軸に、嵌合切り欠きが形成された切り欠きリングが接続され、隣接する他方の前記上下風向調整機構の取付軸に、前記嵌合切り欠きに侵入自在な嵌合突起が形成された突起リングが接続され、前記切り欠きリングと前記突起リングとが、互いに同軸で回転自在に支持された状態で、弾性体によって互いに押し付けられていることを特徴とする。
【発明の効果】
【０００８】
本発明に係る空気調和機の室内機は、複数の上下風向調整機構が、嵌合切り欠きが形成され切り欠きリングと該嵌合切り欠きに侵入自在な嵌合突起が形成された突起リングとを介して連結されているから、嵌合切り欠きに嵌合突起が侵入した状態で、両者は一体的に回転される。したがって、両者を回転駆動する回転角度（ステッピングモーターの回転角度）にバラツキがあっても、隣接する風向調整板は同じ回転角度だけ回転するから、隣接する風向調整板の間に角度ズレが起きないため、意匠性に優れた空気調和機の室内機を得ることができる。
【図面の簡単な説明】
【０００９】
【図１】本発明の実施の形態１に係る空気調和機の室内機を説明するものであって、図１は全体の構成を分解して示す斜視図。
【図２】本発明の実施の形態１に係る空気調和機の室内機を説明するものであって、全体を示す側面視の断面図。
【図３】図２に示す空気調和機の室内機の左右風向調整機構を示す斜視図。
【図４】図２に示す空気調和機の室内機の上下風向調整機構を示す斜視図。
【図５】図２に示す空気調和機の室内機の左前上下風向調整機構の左側端部を示す斜視図。
【図６】図２に示す空気調和機の室内機の左前上下風向調整機構の中央部を示す斜視図。
【図７】図２に示す空気調和機の室内機の中央支持部を構成する部材を分離して示す斜視図。
【図８】図２に示す空気調和機の室内機の中央支持部を構成する部材の一部を拡大して示す斜視図。
【図９】図２に示す空気調和機の室内機の中央支持部を拡大して示す断面図。
【図１０】図２に示す空気調和機の室内機を説明するものであって、左前上下風向調整機構を室内機に取り付ける要領を示す斜視図。
【図１１】図２に示す空気調和機の室内機を説明するものであって、左前上下風向調整機構と右前上下風向調整機構とが連結された状態を示す正面図。
【図１２】図２に示す空気調和機の室内機を説明するものであって、（ａ）は左右の風向調整板の回転角度の差を示す側面図、（ｂ）は左右の風向調整板の回転角度の差を拡大して示す側面図、（ｃ）は左前嵌合突起と右前嵌合切り欠きとの関係を示す正面図。
【発明を実施するための形態】
【００１０】
［実施の形態１］
図１および図２は、本発明の実施の形態１に係る空気調和機の室内機を説明するものであって、図１は全体の構成を分解して示す斜視図、図２は全体を示す側面視の断面図である。なお、各図（含む以下の図）は模式的に示すものであって、本発明は図示された形態に限定されるものではない。
【００１１】
（空気調和機の室内機）
図１において、空気調和機の室内機（以下「室内機」と称す）１００は、基台７と、熱交換器５、送風ファン６、電気品箱４、ドレンパン組立体３、筐体２、開閉かつ取り外し可能な前面意匠パネル１を有している。前面意匠パネル１は筐体２に取り付けられ、筐体２は基台７にネジ固定される。また、熱交換器５、送風ファン６、電気品箱４、およびドレンパン組立体３は、基台７に装着される。また、熱交換器５の上方を覆うフィルターを自動的に清掃するためのフィルター自動清掃ユニット８が設置されているが、フィルター自動清掃ユニット８を設置しなくてもよい。
【００１２】
（ドレンパン組立体）
図２において、筐体２の上面に形成された吸込口２ａから筐体２の下面に形成された吹出口２ｂに至る風路が、送風ファン６によって形成され、吸込口２ａから吸い込まれた室内空気が、熱交換器５によって熱交換され、調和空気（冷気または暖気）とし吹出口２ｂから室内に送風される。
ドレンパン組立体３は、上面３ａが樋状に形成され、熱交換器５から滴下するドレン水を受けるドレンパン部として機能している。また、下面３ｂは吹出口２ｂの一部を形成している。すなわち、吹出口２ｂは、前面側がドレンパン組立体３の下面３ｂによって、後面側がケーシング２ｃによって、左右が左端板４０Ｌおよび右端板４０Ｒ（図３、４参照）によって、それぞれ形成されている。
なお、「左側、右側」は、説明の便宜上、室内機１００を前面から見た場合の左右を意味しているが、室内機１００を後面から見た場合の左右を意味するものであってもよい。
【００１３】
（左右風向調整機構）
図３は、本発明の実施の形態１に係る空気調和機の室内機を説明するものであって、一部（左右風向調整機構）を示す斜視図である。なお、図３は後記する上下風向調整機構を撤去した状態を示している。
図３において、吹出口２ｂの上流寄り（送風ファン６に近い位置）には、調和空気の左右方向（水平方向）の吹出方向を調整する左右風向調整機構３０が設置されている。すなわち、左右風向調整機構３０は、ドレンパン組立体３の下面３ｂに設置された左側の左水平風向調整機構３０Ｌと右側の右水平風向調整機構３０Ｒとから構成されている。
【００１４】
左側の左水平風向調整機構３０Ｌは、下面３ｂに回転自在に設置された複数枚の風向調整板（フラップ）３１Ｌと、複数枚の水平風向調整板３１Ｌに接続されて左右方向に移動される水平風向調整連結棒３２Ｌと、左端板４０Ｌ内（吹出口２ｂの外）に収納された図示しない風向調整駆動部とを具備している。そして、水平風向調整連結棒３２Ｌが左右方向に移動することによって、水平風向調整板３１Ｌが回転し、調和空気の吹出方向が調整される。
【００１５】
同様に、右側の右水平風向調整機構３０Ｒは、下面３ｂに回転自在に設置された複数枚の風向調整板（フラップ）３１Ｒと、複数枚の水平風向調整板３１Ｒに接続されて左右方向に移動される水平風向調整連結棒３２Ｒと、右端板４０Ｒ内（吹出口２ｂの外）に収納された図示しない風向調整駆動部とを具備している。水平風向調整連結棒３２Ｒが左右方向に移動することによって、水平風向調整板３１Ｒが回転し、調和空気の吹出方向が調整される。
【００１６】
（上下風向調整機構）
図４は、本発明の実施の形態１に係る空気調和機の室内機を説明するものであって、一部（上下風向調整機構）を示す斜視図である。
図４において、吹出口２ｂには、上下風向調整機構２０が設置されている。上下風向調整機構２０は、左側で筐体２の前面側（前面意匠パネル１側）に配置された左前上下風向調整機構２０ＬＦと、左側で筐体２の後面側（ケーシング２ｃ側）に配置された左後上下風向調整機構２０ＬＲと、右側で筐体２の前面側（前面意匠パネル１側）に配置された右前上下風向調整機構２０ＲＦと、右側で筐体２の後面側（ケーシング２ｃ側）に配置された右後上下風向調整機構２０ＲＲとから構成されている。
【００１７】
このとき、左前上下風向調整機構２０ＬＦと右前上下風向調整機構２０ＲＦとは面対称の形状であって、左後上下風向調整機構２０ＬＲと右後上下風向調整機構２０ＲＲとは面対称の形状である。そして、左前上下風向調整機構２０ＬＦと左後上下風向調整機構２０ＬＲとは同様の構造であるため、以下、左前上下風向調整機構２０ＬＦについて説明する。
したがって、右前上下風向調整機構２０ＲＦ、左後上下風向調整機構２０ＬＲおよび右後上下風向調整機構２０ＲＲを形成する各部材（部位）については、左前上下風向調整機構２０ＬＦを形成する各部材（部位）の名称の修飾語および符号の小番「左前、ＬＦ」を、「右前、ＲＦ」、「左後、ＬＲ」および「右後、ＲＲ」にそれぞれ読み替えたものに同じである。
【００１８】
（左前上下風向調整機構）
図５および図６は、本発明の実施の形態１に係る空気調和機の室内機を説明するものであって、図５は一部（左前上下風向調整機構）の左側端部を示す斜視図、図６は一部（左前上下風向調整機構）の中央部を示す斜視図である。
【００１９】
図５および図６において、左前上下風向調整機構２０ＬＦは、断面円弧状の板材である左前風向調整板２１ＬＦと、左前風向調整板２１ＬＦの端寄りに固定された左前端寄り取付腕２２ＬＦと、左前端寄り取付腕２２ＬＦの先端に設けられ、断面Ｙ字の貫通孔が形成された左前端寄り軸受け２３ＬＦと、左前風向調整板２１ＬＦの中央寄りに固定された左前中央寄り取付腕２４ＬＦと、左前中央寄り取付腕２４ＬＦの先端に設けられ、断面十字の貫通孔が形成された左前風向調整板軸受け２５ＬＦと、を具備している。
また、左前中央寄り取付腕２４ＬＦの中央側（右前風向調整板２１ＲＦ側）には、断面円弧状の左前風向調整板案内部２６ＬＦが形成されている。
【００２０】
（左前端寄り取付軸）
図５において、左端板４０Ｌに覆われた空間（吹出口２ｂの外側）に、左前ステッピングモーター４１ＬＦが設置され、左前ステッピングモーター４１ＬＦの左前出力軸４２ＬＦは、左前モーター連結部品４３ＬＦに相対回転不能に接続されている。
そして、左前モーター連結部品４３ＬＦの外周は、左端板４０Ｌに形成された左前モーター連結軸受け４４ＬＦに回転自在かつ吹出口２ｂ側に抜け出し不能に支持され、左前モーター連結部品４３ＬＦの中央側の範囲が、吹出口２ｂ側に突出している。このとき、吹出口２ｂ側に突出した範囲は、断面Ｙ字に形成されている。以下、かかる断面Ｙ字に形成された範囲を「左前端寄り取付軸４５ＬＦ」と称す。
【００２１】
（左前中央寄り取付軸）
図６において、左前風向調整板２１ＬＦの左前中央寄り取付腕２４ＬＦよりも左前端寄り取付腕２２ＬＦ寄りの位置に、左右方向に平行な左前スライド溝２７ＬＦが形成され、左前スライド溝２７ＬＦに左前スライド駒２８ＬＦが移動自在かつ抜け出し不能（正確には、容易に抜け出し不能）に設置されている。
左前スライド駒２８ＬＦは、左前スライド溝２７ＬＦに摺動するスライド部分と、該スライド部分に対して垂直に立ち上がった立ち上がり部分とを具備するＬ字状であって、立ち上がり部分の先端には断面十字の内面形状を具備する左前中央寄り取付軸２９ＬＦが固定されている。そして、左前中央寄り取付軸２９ＬＦは、左前風向調整板軸受け２５ＬＦに進退自在に侵入し、後記する中央支持部５０（正確には左中央支持部５０Ｌ）に支持されている。
【００２２】
（中央支持部の構成）
図７〜図９は、本発明の実施の形態１に係る空気調和機の室内機を説明するものであって、図７は一部（中央支持部）を構成する部材を分離して示す斜視図、図８の（ａ）および（ｂ）は一部（中央支持部）を構成する部材の一部を拡大して示す斜視図、図９は一部（中央支持部）を拡大して示す断面図である。
【００２３】
図７において、中央支持部５０は、左中央支持部５０Ｌと右中央支持部５０Ｒとから形成されている。
左中央支持部５０Ｌは、ドレンパン組立体３の下面３ｂに設置された左中央支持ベース５１Ｌと、左中央支持ベース５１Ｌに立設された左前中央支持腕５２ＬＦおよび左後中央支持腕５２ＬＲと、左前中央支持腕５２ＬＦの先端および左後中央支持腕５２ＬＲの先端にそれぞれ設けられた左前中央支持軸受け５３ＬＦおよび左後中央支持軸受け５３ＬＲと、を具備している。
同様に、右中央支持部５０Ｒは、ドレンパン組立体３の下面３ｂに当接する右中央支持ベース５１Ｒと、右中央支持ベース５１Ｒに立設された右前中央支持腕５２ＲＦおよび右後中央支持腕５２ＲＲと、右前中央支持腕５２ＲＦの先端および右後中央支持腕５２ＲＲの先端にそれぞれ設けられた右前中央支持軸受け５３ＲＦおよび右後中央支持軸受け５３ＲＲと、を具備している。
【００２４】
（左前リング）
図８の（ａ）において、左前リング（突起リングに同じ）７０ＬＦは、左前中央支持軸受け５３ＬＦに設置されるものであって、左前中央支持軸受け５３ＬＦの内周に摺動する左前摺動部７１ＬＦと、左前摺動部７１ＬＦよりも外径が小さく、左前摺動部７１ＬＦの両側に形成された左前弾性体配置部７２ＬＦおよび左前円筒部７３ＬＦとを具備している。
そして、左前弾性体配置部７２ＬＦの内面に、左前上下風向調整機構２０ＬＦの左前中央寄り取付軸２９ＬＦが侵入（嵌入）自在な左前軸受け７４ＬＦが形成されている。また、左前円筒部７３ＬＦの外周には左前摺動部７１ＬＦに連続し、左前摺動部７１ＬＦとの連続部を底辺とする正面視で三角形の左前嵌合突起７５ＬＦが形成されている。
なお、左前リング７０ＬＦと同様形状の左後リング７０ＬＲが、左後中央支持軸受け５３ＬＲに設置されている（図示しない）。
【００２５】
（右前リング）
図８の（ｂ）において、右前リング（切り欠きリングに同じ）８０ＲＦは、右前中央支持軸受け５３ＲＦに設置されるものであって、右前中央支持軸受け５３ＲＦの内周に摺動する右前摺動部８１ＲＦと、右前摺動部８１ＲＦよりも外径が小さく、右前摺動部８１ＲＦの側面に形成された右前円筒部８２ＲＦとを具備している。そして、右前円筒部８２ＲＦの内面に、右前上下風向調整機構２０ＲＦの右前中央寄り取付軸２９ＲＦ（図示しない）が侵入（嵌入）自在な右前軸受け８４ＲＦが形成されている。また、右前摺動部８１ＲＦに、左前リング７０ＬＦの左前円筒部７３ＬＦの外面が摺動する右前接続摺動部８３ＲＦが形成されている。
さらに、右前リング８０ＲＦの右前摺動部８１ＲＦには、左前リング７０ＬＦの左前円筒部７３ＬＦの外面が右前リング８０ＲＦの右前接続摺動部８３ＲＦ（内面）に摺動した状態で、左前リング７０ＬＦの左前嵌合突起７５ＬＦが侵入自在な正面視で三角形の右前嵌合切り欠き８５ＲＦが形成されている。
【００２６】
図９において、左中央支持部５０Ｌおよび右中央支持部５０Ｒがドレンパン組立体３の下面３ｂ（図示しない）に設置された状態で、左中央支持部５０Ｌと右中央支持部５０Ｒとは互いに接触している。このとき、左前中央支持軸受け５３ＬＦの軸心と右前中央支持軸受け５３ＲＦの軸心とが一致するため、前者に配置された左前リング７０ＬＦの左前軸受け７４ＬＦの軸心と、後者に配置された右前リング８０ＲＦの右前軸受け８４ＲＦの軸心とが一致している。
そして、これらの軸心は、左前端寄り取付軸４５ＬＦ（図５参照）の軸心と右前端寄り取付軸４５ＲＦ（図示しない）の軸心とを結ぶ直線上に位置している。
同様に、左後軸受け７４ＬＲの軸心と、右後軸受け８４ＬＲの軸心と、左後端寄り取付軸４５ＬＲの軸心と、右後端寄り取付軸４５ＲＲの軸心とは、同一直線上に位置している（いずれも図示しない）。
【００２７】
（左前弾性体）
左前中央支持軸受け５３ＬＦの左前端寄り取付腕２２ＬＦ側の端部には、内周側に突出する左前フランジ５４ＬＦが形成され、左前中央支持軸受け５３ＬＦの内側に左前弾性体（コイルスプリング）６０ＬＦおよび左前リング７０ＬＦが配置されている。また、右前中央支持軸受け５３ＲＦの軸方向の中間には、内周側に突出する右前フランジ５４ＲＦが形成され、右前中央支持軸受け５３ＲＦの内側に右前リング８０ＲＦが設置されている。
そして、左前弾性体６０ＬＦは、左前弾性体配置部７２ＬＦの外周を包囲するように左前中央支持軸受け５３ＬＦの内側に配置され、軸方向が、左前中央支持軸受け５３ＬＦの左前フランジ５４ＬＦと左前リング７０ＬＦの左前摺動部７１ＬＦとに挟まれ、左前リング７０ＬＦを右前リング８０ＲＦに常時押し付けている。
【００２８】
このとき、左前リング７０ＬＦの左前嵌合突起７５ＬＦと右前リング８０ＲＦの右前嵌合切り欠き８５ＲＦとは側面視でＶ字状の相似形（前者の先端角度と後者の開き角度が同じ）に形成されているため、左前嵌合突起７５ＬＦが、右前嵌合切り欠き８５ＲＦに侵入し、両者の間に隙間が生じない。また、左前嵌合突起７５ＬＦが右前嵌合切り欠き８５ＲＦに侵入しない場合は、左前嵌合突起７５ＬＦの先端が、右前摺動部８１ＲＦの端面に押し付けられる。
なお、左前弾性体６０ＬＦに代えて、または左前弾性体６０ＬＦと共に、右前リング８０ＲＦに弾性体を配置してもよい。すなわち、右前中央支持軸受け５３ＲＦの内側で、右前摺動部８１ＲＦの端面と右前中央支持軸受け５３ＲＦとに挟まれた状態で、右前円筒部８２ＲＦを包囲するように弾性体（例えば、コイルスプリング）を配置してもよい。
【００２９】
（左前上下風向調整機構の取り付け）
図１０は、本発明の実施の形態１に係る空気調和機の室内機を説明するものであって、一部（左前上下風向調整機構）を室内機に取り付ける要領を示す斜視図である。
左前上下風向調整機構２０ＬＦを室内機１００に取り付ける要領は、まず、左前上下風向調整機構２０ＬＦの左前端寄り取付腕２２ＬＦに設けられた左前端寄り軸受け２３ＬＦに、左端板４０Ｌから突出している左前端寄り取付軸４５ＬＦを挿入する（図５参照）。
【００３０】
次に、左前風向調整板軸受け２５ＬＦに左前中央寄り取付軸２９ＬＦが挿入された状態で、左前風向調整板案内部２６ＬＦを左中央支持部５０Ｌの左前中央支持軸受け５３ＬＦの外周に押し付ける（図１０参照）。そうすると、左前上下風向調整機構２０ＬＦの左前中央寄り取付軸２９ＬＦの軸心と、左中央支持部５０Ｌに支持された左前リング７０ＬＦの左前軸受け７４ＬＦの軸心とが一致する。
そこで、左前スライド駒２８ＬＦを右方向に移動することによって、左前中央寄り取付軸２９ＬＦを左前軸受け７４ＬＦに挿入（嵌入）し、左前上下風向調整機構２０ＬＦの取り付けを完了する。
【００３１】
また、右前上下風向調整機構２０ＲＦについても、同様に、右前端寄り軸受け２３ＲＦに右前端寄り取付軸４５ＲＦが挿入された状態で、右前中央寄り取付軸２９ＲＦを右前リング８０ＲＦの右前軸受け８４ＲＦに挿入（嵌入）して、右前上下風向調整機構２０ＲＦの取り付けを完了する（図示しない）。
【００３２】
そうすると、左前上下風向調整機構２０ＬＦと右前上下風向調整機構２０ＲＦとは、左前弾性体６０ＬＦによって互いに押し付けられている左前リング７０ＬＦおよび右前リング８０ＲＦを介して接続される。このとき、左前嵌合突起７５ＬＦが右前嵌合切り欠き８５ＲＦに侵入して、両者の間に隙間が生じない。
【００３３】
（左前上下風向調整機構および右前上下風向調整機構の回転）
図１１は、本発明の実施の形態１に係る空気調和機の室内機を説明するものであって、一部（左前上下風向調整機構と右前上下風向調整機構と）が連結された状態を示す正面図である。
図１１において、左前嵌合突起７５ＬＦが右前嵌合切り欠き８５ＲＦに侵入した状態で、断面十字の左前中央寄り取付軸２９ＬＦ（左前軸受け７４ＬＦ）の位相と断面十字の右前中央寄り取付軸２９ＲＦ（右前軸受け８４ＲＦ）の位相とが一致している。
【００３４】
したがって、左前上下風向調整機構２０ＬＦと右前上下風向調整機構２０ＲＦとが同じ角度だけ回転駆動された場合、仮に、左前ステッピングモーター４１ＬＦの回転角度と右前ステッピングモーター４１ＲＦの回転角度とがバラツキによって微小にズレたとしても、左前上下風向調整機構２０ＬＦと右前上下風向調整機構２０ＲＦとは同じ角度だけ回転し、回転後の両者の位相は一致している。
また、同様に、左後上下風向調整機構２０ＬＲと右後上下風向調整機構２０ＲＲも同じ角度だけ回転して、回転後の両者の位相は一致している。すなわち、両者の間に角度ズレが起きないため、意匠性に優れた室内機１００が得られる。
【００３５】
一方、左前嵌合突起７５ＬＦが右前嵌合切り欠き８５ＲＦに侵入した状態で、左前上下風向調整機構２０ＬＦと右前上下風向調整機構２０ＲＦとが相違する角度だけ回転駆動された場合、左前弾性体６０ＬＦが圧縮されることによって、左前嵌合突起７５ＬＦが右前嵌合切り欠き８５ＲＦから脱出し、左前嵌合突起７５ＬＦの先端が右前摺動部８１ＲＦの端面に摺動するから、左前上下風向調整機構２０ＬＦと右前上下風向調整機構２０ＲＦとは、それぞれ相違する角度だけ回転されることになる。よって、室内機１００の吹出口２ｂの左右方向のそれぞれにおいて、調和空気を上下方向で異なった方向に吹き出すことが可能になる。
【００３６】
（右前嵌合切り欠きの開き角度）
図１２は、本発明の実施の形態１に係る空気調和機の室内機を説明するものであって、図１２の（ａ）は左右の風向調整板の回転角度の差を示す側面図、図１２の（ｂ）は左右の風向調整板の回転角度の差を拡大して示す側面図、図１２の（ｃ）は左前嵌合突起と右前嵌合切り欠きとの関係を示す正面図である。
図１２の（ａ）および（ｂ）において、左前風向調整板２１ＬＦと右前風向調整板２１ＲＦとの回転角度の差を「ψ（プサイ）」に設定する際、左前中央寄り取付軸２９ＬＦと右前中央寄り取付軸２９ＲＦとの回転角度は「ψ」だけ相違する。
【００３７】
そうすると、室内機１００が、左前風向調整板２１ＬＦと右前風向調整板２１ＲＦとの回転角度の差を最小角度「ψ」に設定可能にするためには、最小角度「ψ」に相当する角度だけ、左前嵌合突起７５ＬＦの中心と右前嵌合切り欠き８５ＲＦの中心がズレた際、左前嵌合突起７５ＬＦが右前嵌合切り欠き８５ＲＦに引き込まれないようにする必要がある（図１２の（ｃ）参照）。
【００３８】
すなわち、左前ステッピングモーター４１ＬＦと右前ステッピングモーター４１ＲＦとの回転角度のバラツキによって生じる微小なズレが、最小角度「ψ」よりも小さい場合には、左前ステッピングモーター４１ＬＦと右前ステッピングモーター４１ＲＦとを同じ角度だけ回転駆動した際、左前嵌合突起７５ＬＦは、右前嵌合切り欠き８５ＲＦに引き込まれる。このため、左前ステッピングモーター４１ＬＦ等の回転角度のバラツキが吸収され、左前風向調整板２１ＬＦと右前風向調整板２１ＲＦとは同じ角度だけ回転することになる。したがって、開き角度「θ」は、 左前ステッピングモーター４１ＬＦおよび右前ステッピングモーター４１ＲＦの回転角度のバラツキの大きさと、左前風向調整板２１ＬＦと右前風向調整板２１ＲＦとの回転角度の差の設定最小値と、によって決定される。
【００３９】
なお、以上は、左前端寄り軸受け２３ＬＦの内面および左前端寄り取付軸４５ＬＦの外面が断面Ｙ字であり、左前風向調整板軸受け２５ＬＦの内面および左前中央寄り取付軸２９ＬＦの外面が断面十字であるものを示しているが、本発明はこれに限定するものではなく、軸受けと取付軸とが相対的に回転しないように接続される限り、その断面形状を限定するものではない。例えば、断面三角形や断面四角形、あるいは、一方の外面に陥入するキー溝と、他方の外面に突出するキーとを具備する断面円形であってもよい。
【００４０】
なお、以上は、上下風向調整機構２０は、左右方向に２台、前後方向で２台の合計４台を備えたものを示しているが、本発明はこれに限定するものではなく、左右方向に３台の上下風向調整機構を設けてもよい。
このとき、例えば、左前上下風向調整機構２０ＬＦと、右前上下風向調整機構２０ＲＦとの間に、中央前上下風向調整機構（図示しない）が設けられることになる。なお、中央前上下風向調整機構の両端部には、右前中央寄り取付軸２９ＲＦおよび左前中央寄り取付軸２９ＬＦがそれぞれ設置されることになる。
【符号の説明】
【００４１】
１  前面意匠パネル、２  筐体、２ａ  吸込口、２ｂ  吹出口、２ｃ  ケーシング、３  ドレンパン組立体、３ａ  上面、３ｂ  下面、４  電気品箱、５  熱交換器、６  送風ファン、７  基台、８  フィルター自動清掃ユニット、２０  上下風向調整機構、２０ＬＦ  左前上下風向調整機構、２０ＬＲ  左後上下風向調整機構、２０ＲＦ  右前上下風向調整機構、２０ＲＲ  右後上下風向調整機構、２１ＬＦ  左前風向調整板、２１ＲＦ  右前風向調整板、２２ＬＦ  左前端寄り取付腕、２３ＬＦ  左前端寄り軸受け、２４ＬＦ  左前端寄り取付腕、２５ＬＦ  左前風向調整板軸受け、２５ＲＦ  右前風向調整板軸受け、２６ＬＦ  左前風向調整板案内部、２７ＬＦ  左前スライド溝、２８ＬＦ  左前スライド駒、２９ＬＦ  左前中央寄り取付軸、２９ＲＦ  右前中央寄り取付軸、３０  左右風向調整機構、３０Ｌ  左水平風向調整機構、３０Ｒ  右水平風向調整機構、３１Ｌ  水平風向調整板、３１Ｒ  水平風向調整板、３２Ｌ  水平風向調整連結棒、３２Ｒ  水平風向調整連結棒、４０Ｌ  左端板、４０Ｒ  右端板、４１ＬＦ  左前ステッピングモーター、４１ＲＦ  右前ステッピングモーター、４２ＬＦ  左前出力軸、４３ＬＦ  左前モーター連結部品、４４ＬＦ  左前モーター連結軸受け、４５ＬＦ  左前端寄り取付軸、４５ＬＲ  左後端寄り取付軸、４５ＲＦ  右前端寄り取付軸、４５ＲＲ  右後端寄り取付軸、５０  中央支持部、５０Ｌ  左中央支持部、５０Ｒ  右中央支持部、５１Ｌ  左中央支持ベース、５１Ｒ  右中央支持ベース、５２ＬＦ  左前中央支持腕、５２ＬＲ  左後中央支持腕、５２ＲＦ  右前中央支持腕、５２ＲＲ  右後中央支持腕、５３ＬＦ  左前中央支持軸受け、５３ＬＲ  左後中央支持軸受け、５３ＲＦ  右前中央支持軸受け、５３ＲＲ  右後中央支持軸受け、５４ＬＦ  左前フランジ、５４ＲＦ  右前フランジ、６０ＬＦ  左前弾性体、７０ＬＦ  左前リング、７０ＬＲ  左後リング、７１ＬＦ  左前摺動部、７２ＬＦ  左前弾性体配置部、７３ＬＦ  左前円筒部、７４ＬＦ  左前軸受け、７４ＬＲ  左後軸受け、７５ＬＦ  左前嵌合突起、８０ＲＦ  右前リング、８１ＲＦ  右前摺動部、８２ＲＦ  右前円筒部、８３ＲＦ  右前接続摺動部、８４ＬＦ  左前軸受け、８４ＬＲ  左後軸受け、８４ＲＦ  右前軸受け、８５ＲＦ  右前嵌合切り欠き、１００  空気調和機の室内機（室内機）。
【図１】
2014231947.tif 000003
【図２】
2014231947.tif 000004
【図３】
2014231947.tif 000005
【図４】
2014231947.tif 000006
【図５】
2014231947.tif 000007
【図６】
2014231947.tif 000008
【図７】
2014231947.tif 000009
【図８】
2014231947.tif 000010
【図９】
2014231947.tif 000011
【図１０】
2014231947.tif 000012
【図１１】
2014231947.tif 000013
【図１２】
2014231947.tif 000014